(57)【要約】【課題】本発明は汚染事故応急監視装置を開示した。【解決手段】車体と前記車体の内部に設置され端口が右に向かう第一筐体を含み、前記第一筐体に第一箱殻体が設置され、前記第一箱殻体に端口が下に向かう第二筐体が設置され、前記第二筐体に端口が下に向かって前後に通り抜ける第二箱殻体が滑走し係合し接続し、前記第二箱殻体に対称的に第三筐体が設置され、前記第一筐体の左端内壁に前後に凸板が設置され、前記凸板に前後に延びる第一回転軸が回転可能なように係合し接続され、前記第一回転軸に前記凸板の間に位置する第一錐形輪が固定的に接続し、前記第一筐体の左端内壁に第一駆動機が設置される。【選択図】図4
2019183605.tif 000002
【特許請求の範囲】
【請求項１】
汚染事故応急監視装置であって、車体と前記車体の内部に設置され端口が右に向かう第一筐体を含み、前記第一筐体に第一箱殻体が設置され、前記第一箱殻体に端口が下に向かう第二筐体が設置され、前記第二筐体に端口が下に向かって前後に通り抜ける第二箱殻体が滑走し係合し接続し、前記第二箱殻体に対称的に第三筐体が設置され、前記第一筐体の左端内壁に前後に凸板が設置され、前記凸板に前後に延びる第一回転軸が回転可能なように係合し接続され、前記第一回転軸に前記凸板の間に位置する第一錐形輪が固定的に接続し、前記第一筐体の左端内壁に第一駆動機が設置され、前記第一駆動機に前記第一錐形輪と係合し接続する第二錐形輪が動力が伝達可能なように接続され、前記第一回転軸の前後末尾に第三錐形輪が固定的に接続し、前記第一筐体に左右に延びて前後対称に第二回転軸が設置され、前記第二回転軸の左右両端がベアリングを通じて前記車体と回転可能なように係合し接続し、前記第二回転軸の左端に前記第三錐形輪と係合し接続する第四錐形輪が固定的に接続し、前記第二回転軸に前後対称に第一箱殻体と固定的に接続する第一固連板と第二固連板が係合し接続され、前記第二筐体の頂部内壁に第二駆動機が設置され、前記第二駆動機の底端に下に延びて前記第二箱殻体を通り抜ける螺旋レバーが動力が伝達可能なように接続され、前記第三筐体に左右対称にタービンが設置され、前記タービンに上下に延びる第三回転軸が固定的に接続し、前記第三回転軸の上端がベアリングを通じて前記第二箱殻体に回転することができるように取り付けられ、前記第三回転軸の下端末尾にディスクブラシが固定的に接続され、前記第三筐体に左右に延びて前記タービンの後端に位置するウォームが設置され、前記ウォームの左右両端がベアリングを通じて前記第二箱殻体に回転に取り付けられ、前記ウォームに二つの前記タービンの間に位置する第五錐形輪が固定的に接続され、前記第二筐体の後端内壁に第三駆動機が設置され、前記第三駆動機の前端に前記第五錐形輪と係合し接続する第六錐形輪が動力が伝達可能なように接続され、前記車体の底端に第四筐体が設置され、前記第四筐体に左右対称的に前後に延びる第四回転軸が設置され、前記第四回転軸に前後対称にローラーが固定的に接続し、左右対称の二つの前記ローラーの間にキャタピラーが接続され、前記タービンが前記ウォームと噛み合い、前記螺旋レバーが前記第二箱殻体と係合し接続することを特徴とする汚染事故応急監視装置。
【発明の詳細な説明】
【技術分野】
【０００１】
本発明は汚染応急処理技術分野に関し、具体的には汚染事故応急監視装置に関する。
【背景技術】
【０００２】
突発的な汚染応急処置ではよく汚染区域を迅速に清掃する必要があり、周辺環境に深刻な汚染をもたらすことを防ぐ。伝統的な汚染応急処理装置の清掃効率が低く、多くの労働力を使用する必要があり、仕事効率を深刻に影響し、大きい欠陥が存在し、改善する必要がある。
【先行技術文献】
【特許文献】
【０００３】
【特許文献１】中国特許出願公開第102298318号明細書
【発明の概要】
【発明が解決しようとする課題】
【０００４】
本発明は解決する必要な技術問題に対して汚染事故応急監視装置を提供し、それは上記の現在の技術問題を解決できる。
【課題を解決するための手段】
【０００５】
本発明は以下の技術方案を通じて実現する。本発明の汚染事故応急監視装置は車体と前記車体の内部に設置され端口が右に向かう第一筐体を含み、前記第一筐体に第一箱殻体が設置され、前記第一箱殻体に端口が下に向かう第二筐体が設置され、前記第二筐体に端口が下に向かって前後に通り抜ける第二箱殻体が滑走し係合し接続し、前記第二箱殻体に対称的に第三筐体が設置され、前記第一筐体の左端内壁に前後に凸板が設置され、前記凸板に前後に延びる第一回転軸が回転可能なように係合し接続され、前記第一回転軸に前記凸板の間に位置する第一錐形輪が固定的に接続し、前記第一筐体の左端内壁に第一駆動機が設置され、前記第一駆動機に前記第一錐形輪と係合し接続する第二錐形輪が動力が伝達可能なように接続され、前記第一回転軸の前後末尾に第三錐形輪が固定的に接続し、前記第一筐体に左右に延びて前後対称に第二回転軸が設置され、前記第二回転軸の左右両端がベアリングを通じて前記車体と回転可能なように係合し接続し、前記第二回転軸の左端に前記第三錐形輪と係合し接続する第四錐形輪が固定的に接続し、前記第二回転軸に前後対称に第一箱殻体と固定的に接続する第一固連板と第二固連板が係合し接続され、前記第二筐体の頂部内壁に第二駆動機が設置され、前記第二駆動機の外側に護托装置が設置され、前記護托装置がインピーダンスと散熱片を含み、前記第二駆動機の底端に下に延びて前記第二箱殻体を通り抜ける螺旋レバーが動力が伝達可能なように接続され、前記第三筐体に左右対称にタービンが設置され、前記タービンに上下に延びる第三回転軸が固定的に接続し、前記第三回転軸の上端がベアリングを通じて前記第二箱殻体に回転することができるように取り付けられ、前記第三回転軸の下端末尾にディスクブラシが固定的に接続され、前記第三筐体に左右に延びて前記タービンの後端に位置するウォームが設置され、前記ウォームの左右両端がベアリングを通じて前記第二箱殻体に回転に取り付けられ、前記ウォームに二つの前記タービンの間に位置する第五錐形輪が固定的に接続され、前記第二筐体の後端内壁に第三駆動機が設置され、前記第三駆動機の前端に前記第五錐形輪と係合し接続する第六錐形輪が動力が伝達可能なように接続される。
【０００６】
好ましい技術方案として前記車体の底端に第四筐体が設置され、前記第四筐体に左右対称的に前後に延びる第四回転軸が設置され、前記第四回転軸に前後対称にローラーが固定的に接続し、左右対称の二つの前記ローラーの間にキャタピラーが接続される。
【０００７】
好ましい技術方案として前記タービンが前記ウォームと噛み合う。
【０００８】
好ましい技術方案として前記螺旋レバーが前記第二箱殻体と係合し接続する。
【０００９】
本発明の有益な効果は、本発明の設備が初期状態にある時、前記第一箱殻体が前記第一筐体の左端に位置し左端表面が前記凸板と接触し、前記第二箱殻体が前記第二筐体の頂部に位置し頂部端面が前記第一箱殻体と接触する。
【００１０】
使用する時に、前記第一駆動機を起動し前記第二回転軸と連動して回転し、前記第一箱殻体が右に移動し、前記第二固連板が前記車体と接触する時に、前記第一駆動機を制御し動作を停止し、この時に第二駆動機を起動し回転軸と連動して回転し、前記第二箱殻体が下にスライドし、前記第二箱殻体の底部が前記第一箱殻体と接触する時に、前記第五錐形輪が前記第六錐形輪と完全に噛み合って、前記第二駆動機を制御し回転を停止し、この時に前記第三駆動機を起動し前記ディスクブラシと連動して回転する。
【００１１】
使用が終わった後、前記第三駆動機を制御し回転を停止し、前記第二駆動機を起動し前記螺旋レバーと連動して回転し、前記第二箱殻体が上にスライドし、前記第二箱殻体の頂部端面が前記第一箱殻体と接触する時に、前記第二駆動機を制御し回転を停止し、この時に前記第一駆動機を起動し前記第二回転軸と連動して回転し、前記第一箱殻体が左に移動し、前記第一箱殻体の左部端面が前記凸板と接触する時に、前記第三駆動機を制御し回転を停止する。
【００１２】
本発明に係る設備の構造が簡単で、操作が便利で、起動と収納を一体化することを使って、汚染源地域に対する応急処置の効率を大きく高める。
【発明の効果】
【００１３】
本発明の有益な効果は、本発明の設備が初期状態にある時、前記第一箱殻体が前記第一筐体の左端に位置し左端表面が前記凸板と接触し、前記第二箱殻体が前記第二筐体の頂部に位置し頂部端面が前記第一箱殻体と接触する。
【図面の簡単な説明】
【００１４】
【図１】図１は本発明の汚染事故応急監視装置が停止する時の全体構造概略図である。
【図２】図２は図１の中のA-A方向の断面図である。
【図３】図３は本発明の汚染事故応急監視装置が作業する時の全体構造概略図である。
【図４】図４は図１の右視図である。
【発明を実施するための形態】
【００１５】
説明しやすいため、本発明は以下の具体的な実施例と図面を交え詳しく説明する。
【００１６】
図1-図4が示すように、本発明の汚染事故応急監視装置は車体100と前記車体100の内部に設置され端口が右に向かう第一筐体111を含み、前記第一筐体111に第一箱殻体101が設置され、前記第一箱殻体101に端口が下に向かう第二筐体112が設置され、前記第二筐体112に端口が下に向かって前後に通り抜ける第二箱殻体102が滑走し係合し接続し、前記第二箱殻体102に対称的に第三筐体113が設置され、前記第一筐体111の左端内壁に前後に凸板103が設置され、前記凸板103に前後に延びる第一回転軸155が回転可能なように係合し接続され、前記第一回転軸155に前記凸板103の間に位置する第一錐形輪145が固定的に接続し、前記第一筐体111の左端内壁に第一駆動機123が設置され、前記第一駆動機123に前記第一錐形輪145と係合し接続する第二錐形輪144が動力が伝達可能なように接続され、前記第一回転軸155の前後末尾に第三錐形輪143が固定的に接続し、前記第一筐体111に左右に延びて前後対称に第二回転軸156が設置され、前記第二回転軸156の左右両端がベアリングを通じて前記車体100と回転可能なように係合し接続し、前記第二回転軸の左端に前記第三錐形輪143と係合し接続する第四錐形輪142が固定的に接続し、前記第二回転軸156に前後対称に第一箱殻体101と固定的に接続する第一固連板211と第二固連板212が係合し接続され、前記第二筐体112の頂部内壁に第二駆動機121が設置され、前記第二駆動機121の底端に下に延びて前記第二箱殻体102を通り抜ける螺旋レバー153が動力が伝達可能なように接続され、前記第三筐体113に左右対称にタービン131が設置され、前記タービン131に上下に延びる第三回転軸151が固定的に接続し、前記第三回転軸151の上端がベアリングを通じて前記第二箱殻体102に回転することができるように取り付けられ、前記第三回転軸151の下端末尾にディスクブラシ161が固定的に接続され、前記第三筐体に左右に延びて前記タービンの後端に位置するウォーム152が設置され、前記ウォーム152の左右両端がベアリングを通じて前記第二箱殻体102に回転に取り付けられ、前記ウォーム152に二つの前記タービン131の間に位置する第五錐形輪141が固定的に接続され、前記第二筐体112の後端内壁に第三駆動機122が設置され、前記第三駆動機122の前端に前記第五錐形輪141と係合し接続する第六錐形輪146が動力が伝達可能なように接続される。
【００１７】
好ましくは前記車体100の底端に第四筐体114が設置され、前記第四筐体114に左右対称的に前後に延びる第四回転軸154が設置され、前記第四回転軸154に前後対称にローラー104が固定的に接続し、左右対称の二つの前記ローラー104の間にキャタピラー162が接続される。
【００１８】
好ましくは前記タービン131が前記ウォーム152と噛み合う。
【００１９】
好ましくは前記螺旋レバー153が前記第二箱殻体102と係合し接続する。
【００２０】
本発明の設備が初期状態にある時、前記第一箱殻体101が前記第一筐体111の左端に位置し左端表面が前記凸板103と接触し、前記第二箱殻体102が前記第二筐体112の頂部に位置し頂部端面が前記第一箱殻体101と接触する。
【００２１】
使用する時に、前記第一駆動機123を起動し前記第二回転軸156と連動して回転し、前記第一箱殻体101が右に移動し、前記第二固連板212が前記車体100と接触する時に、前記第一駆動機123を制御し動作を停止し、この時に第二駆動機121を起動し回転軸153と連動して回転し、前記第二箱殻体102が下にスライドし、前記第二箱殻体102の底部が前記第一箱殻体101と接触する時に、前記第五錐形輪141が前記第六錐形輪146と完全に噛み合って、前記第二駆動機121を制御し回転を停止し、この時に前記第三駆動機122を起動し前記ディスクブラシ161と連動して回転し、これにより汚染された地面を洗うことができる。
【００２２】
使用が終わった後、前記第三駆動機122を制御し回転を停止し、前記第二駆動機121を起動し前記螺旋レバー153と連動して回転し、前記第二箱殻体102が上にスライドし、前記第二箱殻体102の頂部端面が前記第一箱殻体101と接触する時に、前記第二駆動機12１を制御し回転を停止し、この時に前記第一駆動機123を起動し前記第二回転軸156と連動して回転し、前記第一箱殻体101が左に移動し、前記第一箱殻体101の左部端面が前記凸板103と接触する時に、前記第三駆動機122を制御し回転を停止し、これにより迅速な収納を実現する。
【００２３】
本発明の有益な効果は、本発明の設備が初期状態にある時、前記第一箱殻体が前記第一筐体の左端に位置し左端表面が前記凸板と接触し、前記第二箱殻体が前記第二筐体の頂部に位置し頂部端面が前記第一箱殻体と接触する。
【００２４】
使用する時に、前記第一駆動機を起動し前記第二回転軸と連動して回転し、前記第一箱殻体が右に移動し、前記第二固連板が前記車体と接触する時に、前記第一駆動機を制御し動作を停止し、この時に第二駆動機を起動し回転軸と連動して回転し、前記第二箱殻体が下にスライドし、前記第二箱殻体の底部が前記第一箱殻体と接触する時に、前記第五錐形輪が前記第六錐形輪と完全に噛み合って、前記第二駆動機を制御し回転を停止し、この時に前記第三駆動機を起動し前記ディスクブラシと連動して回転する。
【００２５】
使用が終わった後、前記第三駆動機を制御し回転を停止し、前記第二駆動機を起動し前記螺旋レバーと連動して回転し、前記第二箱殻体が上にスライドし、前記第二箱殻体の頂部端面が前記第一箱殻体と接触する時に、前記第二駆動機を制御し回転を停止し、この時に前記第一駆動機を起動し前記第二回転軸と連動して回転し、前記第一箱殻体が左に移動し、前記第一箱殻体の左部端面が前記凸板と接触する時に、前記第三駆動機を制御し回転を停止する。
【００２６】
本発明に係る設備の構造が簡単で、操作が便利で、起動と収納を一体化することを使って、汚染源地域に対する応急処置の効率を大きく高める。
【００２７】
以上に述べたのはただ本発明の具体的な実施方式で、しかし本発明の保護範囲はこれに限らない。全部の創造的な労働を通じなく思いついた変化と取替は本発明の保護範囲にカバーされる。それゆえ本発明の保護範囲は特許請求の範囲が限定する保護範囲を基準とする。
【図１】
2019183605.tif 000003
【図２】
2019183605.tif 000004
【図３】
2019183605.tif 000005
【図４】
2019183605.tif 000006